(57)【特許請求の範囲】
【請求項１】
ボイラ建屋の四方に位置し、複数の支柱により構成される主柱と、４本の前記主柱のうちの２本を連結してサイドスパン鉄骨を構成するガーター梁、及び前記サイドスパン鉄骨を連結する缶前鉄骨を据え付ける主柱据付工程と、
前記主柱据付工程の後に、前記主柱上部に備えられた複数のジャッキ装置により、前記主柱間に大梁を吊上げて固定する大梁据付工程と、
前記大梁据付工程の後に、前記大梁に備えた複数のジャッキ装置を介してボイラ本体を吊上げて固定するボイラ据付工程と、
前記大梁据付工程と前記ボイラ据付工程と並行して、前記主柱上部に備えられた複数のジャッキ装置により、前記主柱の各フロアを構成するフロアユニットを吊上げて固定するフロアユニット据付工程と、
を有することを特徴とするボイラ施設建設工法。
【請求項２】
前記フロアユニット据付工程は、前記ジャッキ装置のロッドと最上部に配置されるフロアユニットを接続してジャッキアップする工程を経た後、
ジャッキアップされたフロアユニットの下階に配置されるフロアユニットをジャッキアップされたフロアユニットの下側に仮吊材により接続してジャッキアップする工程を繰り返すことで各フロアユニットを据付対象とするフロアにまでジャッキアップして据付を行うことを特徴とする請求項１に記載のボイラ施設建設工法。
【請求項３】
前記フロアユニット据付工程は、前記ボイラ据付工程完了前に完了することを特徴とする請求項１または請求項２に記載のボイラ施設建設工法。
【請求項４】
前記フロアユニット据付工程と平行して、前記缶前鉄骨と対向して前記サイドスパン鉄骨を連結する缶後鉄骨の据え付けも行うことを特徴とする請求項１乃至３のいずれか１項に記載のボイラ施設建設工法。
【請求項５】
前記大梁据付工程と前記ボイラ据付工程、および前記フロアユニット据付工程に用いるジャッキ装置は、その一部または全部を各工程にて相互利用することを特徴とする請求項１乃至４のいずれか１項に記載のボイラ施設建設工法。
【請求項６】
各工程にて相互利用する前記ジャッキ装置は、各工程においての使用が終了した後、他の工程実施中に移動が成されることを特徴とする請求項５に記載のボイラ施設建設工法。
【請求項７】
前記大梁据付工程と、前記ボイラ据付工程、および前記フロアユニット据付工程に用いる前記ジャッキ装置のロッドは、サイズを共通として相互利用することを特徴とする請求項１乃至６のいずれか１項に記載のボイラ施設建設工法。
【請求項８】
前記主柱据付工程には外部クレーンを用い、
前記主柱据付工程終了後に前記外部クレーンを撤去し、
大梁据付工程、ボイラ据付工程、およびフロアユニット据付工程は、ジャッキ手段を用いて行うことを特徴とする請求項１乃至７のいずれか１項に記載のボイラ施設建設工法。
【発明の詳細な説明】
【技術分野】
【０００１】
本発明は、大型のボイラおよびその建屋の建設に係り、特に建屋に吊下げ状態で据え付けられる発電設備に用いるボイラを建屋に据え付けるまでの建設工期を短縮することに好適なボイラ施設の建設工法に関する。
【背景技術】
【０００２】
火力発電所施設などに採用されるボイラは大型であり、加熱により膨張が生ずることから、施設建屋の天端部分に設けられる大梁と称される構造物に吊下げられる構成が採られている。こうした構造のボイラの建設をするにあたっては、作業の安全性の向上と工期の短縮化が課題とされてきた。
【０００３】
ボイラを備えた火力発電所施設は、概略的には、建屋の側壁を構成すると共に配管設備などが備えられたサイドスパン鉄骨と、対を成すサイドスパン鉄骨の上部に掛け渡される大梁と、この大梁に吊下されるボイラ本体とを有する。
【０００４】
このような構成の火力発電所施設は従来、図７に示すような工程で建設されてきた。すなわち、サイドスパン鉄骨の四方に設けられる主柱を１節分組み立てた後、組み立てた節の主柱、サイドスパン鉄骨に収まるフロアユニットおよび配管類の据え付けを行う。こうした作業を必要とされる節の数だけ繰り返し、サイドスパン鉄骨を完成させる（ステップ１〜５）。次に、サイドスパン鉄骨間に張り渡す大梁を、サイドスパン鉄骨の上部に吊り上げて固定する（ステップ６）。その後、大梁を基準としてボイラの引き上げを行う。ここで、ボイラは、複数（図７に示す例では３つ）のユニットに分割されており、上部側のユニットを引き上げながら下部側のユニットの係合を順次行うことで、ボイラの吊下げと据え付けを並行して行うことができる（ステップ７〜９）。このような工程で火力発電所施設を組み立てることは、例えば特許文献１に開示されている。
【０００５】
また、このような構成の火力発電所施設の建設工期を短縮するための工法が、特許文献２に開示されている。特許文献２に開示されている工法は、まず、サイドスパン鉄骨を構成する４本の主柱を立設する。その後、フロアユニットや配管等が組み込まれたフロアモジュールを主柱間に配置する。ここで、各フロアモジュールは、予め工場で組み立てられた上で搬入され、主柱の上部に配置されたジャッキによって所定位置まで吊り上げて据え付けられる。なお、主柱間には、サイドスパン鉄骨の倒れ込みを防止する連結材が設けられている。
【０００６】
次に、主柱の上部に備えられたジャッキを用いてボイラモジュールの吊り上げを行う。特許文献２に開示されているボイラモジュールは、セパレートタイプのモジュールであり、ボイラを吊下するための大梁と、ボイラ上部ユニットとを含む上部モジュールと、ボイラ下部ユニットを含む下部モジュールから成る。ここで、上部モジュール、下部モジュールはそれぞれ工場で組み立てられた上で搬入される。
【先行技術文献】
【特許文献】
【０００７】
【特許文献１】特許第２９２７３２０号公報
【特許文献２】特開２００２−２１３７０７号公報
【発明の概要】
【発明が解決しようとする課題】
【０００８】
火力発電所施設の建設にあたっては、ボイラの据付状態を基準として連結部材や配管類の接続が成される。このため、ボイラ据付までの工期を短縮することができれば、建設工期全体の短縮を図ることができると考えられる。
【０００９】
そこで本発明では、大型ボイラおよびその建屋の建設に関し、ボイラを据え付けるまでの工期を短縮することのできるボイラ施設建設工法を提供することを目的とする。
【課題を解決するための手段】
【００１０】
上記目的を達成するための本発明に係るボイラ施設建設工法は、ボイラ建屋の四方に位置し、複数の支柱により構成される主柱と、４本の前記主柱のうちの２本を連結してサイドスパン鉄骨を構成するガーター梁、及び前記サイドスパン鉄骨を連結する缶前鉄骨を据え付ける主柱据付工程と、前記主柱据付工程の後に、前記主柱上部に備えられた複数のジャッキ装置により、前記主柱間に大梁を吊上げて固定する大梁据付工程と、前記大梁据付工程の後に、前記大梁に備えた複数のジャッキ装置を介してボイラ本体を吊上げて固定するボイラ据付工程と、前記大梁据付工程と前記ボイラ据付工程と並行して、前記主柱上部に備えられた複数のジャッキ装置により、前記主柱の各フロアを構成するフロアユニットを吊上げて固定するフロアユニット据付工程と、を有することを特徴とする。
【００１１】
また、上記のような特徴を有するボイラ施設建設工法において前記フロアユニット据付工程は、前記ジャッキ装置のロッドと最上部に配置されるフロアユニットを接続してジャッキアップする工程を経た後、ジャッキアップされたフロアユニットの下階に配置されるフロアユニットをジャッキアップされたフロアユニットの下側に仮吊材により接続してジャッキアップする工程を繰り返すことで各フロアユニットを据付対象とするフロアにまでジャッキアップして据付を行うようにすると良い。このような工法を採ることにより、フロアユニット据付に際してジャッキ装置によるジャッキアップ回数を減らすことができる。また、下階のフロアユニットを吊り上げるためにジャッキ装置自体を移設する等の必要性が無い。
【００１２】
また、上記のような特徴を有するボイラ施設建設工法において前記フロアユニット据付工程は、前記ボイラ据付工程完了前に完了すると良い。このようなタイミングでフロアユニット据付工程を終えることで、ボイラ据付工程が完了した際には、全ての工程が終了することとなり、並行して行った工程の工期分だけ建設工事全体の工期を短縮することができることとなる。
【００１３】
また、上記のような特徴を有するボイラ施設建設工法において前記フロアユニット据付工程と平行して、前記缶前鉄骨と対向して前記サイドスパン鉄骨を連結する缶後鉄骨の据え付けも行うようにすると良い。このようにすることで、比較的重量の重い大梁などの吊上げの際、サイドスパン鉄骨が内側へ倒れ込むことを防止することができる。
【００１４】
また、上記のような特徴を有するボイラ施設建設工法において前記大梁据付工程と前記ボイラ据付工程、および前記フロアユニット据付工程に用いるジャッキ装置は、その一部または全部を各工程にて相互利用すると良い。このような手段を採ることで、不使用のジャッキ装置や、使用を予定するジャッキ装置を建屋上部と地上との間で逐次昇降させる必要が無くなる。このため、ジャッキ装置の昇降、設置に要する時間を短縮することができる。
【００１５】
また、各工程にて相互利用する前記ジャッキ装置は、各工程においての使用が終了した後、他の工程実施中に移動が成されるようにすると良い。このようにすることで、ジャッキ装置の移動のためだけに要する時間を無くすことができ、各工程に要する時間の短縮を図ることができる。
【００１６】
また、上記のような特徴を有するボイラ施設建設工法では、前記大梁据付工程と、前記ボイラ据付工程、および前記フロアユニット据付工程に用いる前記ジャッキ装置のロッドは、サイズを共通として相互利用することが望ましい。このような手段を採ることにより、ロッドの管理が容易になると共に、ロッドの相互利用により不使用ロッドの数が減り、使用ロッドの総数を減らすことができる。
【００１７】
さらに、上記のような特徴を有するボイラ施設建設工法では、前記主柱据付工程には外部クレーンを用い、前記主柱据付工程終了後に前記外部クレーンを撤去し、大梁据付工程、ボイラ据付工程、およびフロアユニット据付工程は、ジャッキ装置を用いて行うようにすることが望ましい。このようにして工事を進めることで、従来に比べて外部クレーンを使用する期間を短くすることができる。このため、外部クレーンを使用するために必要とされる工費を抑制することができ、工事全体の工費も抑えることができる。
【発明の効果】
【００１８】
上記のようなボイラ施設建設工法によれば、大型ボイラおよびその建屋の建設にあたり、ボイラ本体を据え付けるまでの工期を短縮することができる。このため、ボイラ施設建設全体の工期も短縮することが可能となる。
【図面の簡単な説明】
【００１９】
【図１】実施形態に係る工法により建設するボイラ施設の一例を示す正面図である。
【図２】実施形態に係る工法により建設するボイラ施設の一例を示す側面図である。
【図３】実施形態に係るボイラ施設の建設工法における各工程を説明するための図であり、（Ａ）は正面構成、（Ｂ）は平面構成を示す。
【図４】実施形態におけるフロアユニット据付工程の具体的な実施例を示す斜視図である。
【図５】従来の工法による建設工程を示すフローと、実施形態に係る建設工程を示すフローとの比較図である。
【図６】実施形態に係るボイラ施設建設工法を実施するにあたり使用するジャッキシステムの概略構成を示す図である。
【図７】従来のボイラ施設の建設工法における各工程を説明するための図である。
【発明を実施するための形態】
【００２０】
以下、本発明のボイラ施設建設工法に係る実施の形態について、図面を参照しつつ詳細に説明する。
まず、図１、および図２を参照して、本実施形態において建設するボイラ施設の一例の概略構成について説明する。なお、図１はボイラ施設の正面構成を示す図であり、図２は同ボイラ施設の側面構成を示す図である。
【００２１】
ボイラ施設１０は、ボイラ建屋１２とこの建屋内に据え付けられるボイラ本体３０とを有する。ボイラ建屋１２は、側壁を構成すると共に図示しない配管類等の据付を行うサイドスパン鉄骨２０と、このサイドスパン鉄骨２０の倒れ込みを防止する缶前鉄骨１６、缶後鉄骨１５（図３（Ｂ）参照）、大梁２２、および藤棚鉄骨２４等を有する。サイドスパン鉄骨２０は、建屋の四方に据え付けられる４本の主柱１４と、この４本の主柱１４のうちのそれぞれ２本を連結して側壁を構成するガーター梁１８を有する。なお、主柱１４は、４本の支柱１３により構成される。そして、サイドスパン鉄骨２０は複数の階層に区分けされており、各階層毎に、フロアユニット１４ａや図示しない配管類が据え付けられている。
【００２２】
缶前鉄骨１６は、対を成すサイドスパン鉄骨２０間であって、ボイラ建屋１２の前面壁を構成するように設けられる梁である。缶前鉄骨１６はサイドスパン鉄骨２０に、大梁等の重量物を吊上げる際、サイドスパン鉄骨２０が内側（互いに向かい合う側）へ倒れ込むことを防止する役割を担う。缶後鉄骨１５は、前述した缶前鉄骨１６と対向してボイラ建屋１２の後面壁を構成するように設けられる梁である。
【００２３】
大梁２２は、サイドスパン鉄骨２０を構成する主柱１４の上端に設けられた仕口２１に接続され、対を成すサイドスパン鉄骨２０の上端に架け渡すように設けられる梁である。なお、図３（Ａ）に示すように、仕口２１と大梁２２との接続面は特許第３３８９８３９号の工法を使用するため傾斜面としている。大梁２２の下部側には、藤棚鉄骨２４と呼ばれる複数の小梁がボイラ建屋１２の前後方向に張り渡されている。詳細を後述するボイラ本体３０は、この大梁２２を基準とした藤棚鉄骨２４の下に吊下されることとなる。
【００２４】
ボイラ本体３０は、大梁２２を基準として据え付けられた藤棚鉄骨２４に吊下されている。実施形態に係るボイラ本体３０は、複数のユニットから構成されている。なお、図１〜図３に示す例では、説明を簡単化するために、３つのユニット（上部ユニット３２、中間部ユニット３４、および下部ユニット３６）として示している。
【００２５】
以下、このような基本構成を有するボイラ施設１０を建設するための工法について、図３を参照して説明する。なお、図３において、図３（Ａ）は正面構成を示す図であり、図３（Ｂ）は上面構成を示す図である。
【００２６】
まず、複数の階層（節図３に示す例では４節）から構成される主柱１４の第１節目、第２節目の据え付けを行う。第２節目の主柱１４の据え付けの際、第１節目の主柱１４間にガーター梁１８、および缶前鉄骨１６を据え付ける。主柱１４の据付作業とガーター梁１８、缶前鉄骨１６、および缶後鉄骨１５の据付作業は、ボイラ建屋建設地の周囲に配備する外部クレーン（不図示）によって行う（ステップ１）。
【００２７】
次に主柱１４の第３節目、第４節目の据え付けを行う。ここで、第３節目の据え付けの際には、第２節目の主柱１４間にガーター梁１８、および缶前鉄骨１６を据え付け、第４節目の据え付けの際には第３節目の主柱１４間にガーター梁１８、および缶前鉄骨１６を据え付ける（ステップ２）。なお、主柱１４の第４節目の据付完了後には、第４節目の主柱１４間にガーター梁１８と缶前鉄骨１６を据え付ける。
【００２８】
そして、主柱の上端には、大梁２２を固定するための基台となる仕口２１が取り付けられると共に、大梁２２やフロアユニット１４ａを吊上げるためのジャッキ装置４０が、主柱１４の上端部へと吊り上げられる。ジャッキ装置４０の吊り上げが終了した後、フロアユニット１４ａの吊り上げ、据付を開始する（ステップ３：フロアユニット据付工程）。フロアユニット据付工程は図４に示すように、上階に配置されるフロアユニット１４ａに対して下階に配置されるフロアユニット１４ａを順次連結させた状態で吊り上げが行われる。具体的には、最上部（最上階に配置されるフロアユニット１４ａに対して、主柱１４の上部に配置されたジャッキ装置４０のロッド４０ａを接続し、これをジャッキアップする。最上階に配置されるフロアユニット１４ａを所定高さ（例えば階層間高さ）まで吊り上げた後、最上部に配置されるフロアユニットの下部に、下階に配置されるフロアユニット１４ａを配置し、上階に配置されることとなるフロアユニット１４ａと下階に配置されることとなるフロアユニット１４ａとを仮吊材５０により接続する。仮吊材５０を介して上下に接続されたフロアユニット１４ａをさらに所定高さまでジャッキアップし、次いで下階に配置されることとなるフロアユニット１４ａの配置と、仮吊材による接続を成す。このような、階層間の接続とジャッキアップを繰り返し行い、各フロアユニット１４ａが、据付対象となるフロアにまでジャッキアップし、据付を行う。そして、各フロアユニット１４ａの据付が終了した後、フロアユニット１４ａ間の接続を行った仮吊材を取り外す。
【００２９】
なお、仮吊材は、フロアユニット１４ａを吊下するだけの耐久性を有していれば、その材質、形態等に限定は無い。例えばワイヤであっても良いし、鎖であっても良い。
【００３０】
各階層に係るフロアユニット１４ａ毎にジャッキアップを行った場合には、各階層に係るフロアユニット１４ａをジャッキアップする度にジャッキ装置４０を移動させる必要が生ずると共に、ジャッキアップの回数も増える。実施形態に係る工法によれば、ジャッキアップ回数は１回（対象とする複数のフロアユニット１４ａ単位）となり、ロッド４０ａの上げ下げに要する時間を大幅に短縮することができる。また、ジャッキ装置４０を移設することなく対象とする複数のフロアユニット１４ａをジャッキアップすることができるため、ジャッキ装置４０の移設に要する時間も短縮することができる。
【００３１】
フロアユニット据付工程と並行して缶後鉄骨１５の据え付けを行う（主柱据付工程）。
ガーター梁１８と缶前鉄骨１６、および缶後鉄骨１５の据付が終了した後、外部クレーン（不図示）を撤去する。そして、フロアユニット１４ａの吊上げおよび据え付けを行うフロアユニット据付工程と並行して、大梁２２の吊上げおよび据付を行う。本実施形態では、並行作業として成されるフロアユニット据付工程で用いるジャッキ装置４０と、大梁２２の吊り上げやボイラ本体３０の吊り上げに用いるジャッキ装置４０とは、同じものを採用している。これにより、工程間におけるジャッキ装置４０の相互利用を図ることが可能となり、不使用ジャッキ装置や使用ジャッキ装置の昇降に要する時間を短縮することができる。
【００３２】
このため、主柱１４におけるフロアユニット１４ａの据え付けが終了した後には、ジャッキ装置４０をガーター梁１８の上端や、据え付けが完了した大梁２２の間等に移動させ、次工程での吊り上げ作業に備える。なお、ジャッキ装置４０の移動には、主柱１４の上端に備えられる図示しないパワーリーチ（クレーン）を用いれば良い（ステップ４：大梁据付工程）。
【００３３】
大梁２２の吊上げ終了後、藤棚鉄骨２４（図１、図２参照）の据付を行い、上述したフロア据付工程と並行して、大梁２２の上部に設けたジャッキ装置４０によるボイラ本体３０の吊上げを行う。ボイラ本体３０の吊上げは、分割されたボイラユニットを順次吊下げて係合するかたちで行われる。このため、その吊り上げには複数のジャッキ装置４０が必要とされ、必要に応じて吊り上げ用のジャッキ装置４０の追加を行う。なお、図３に示す例では、大梁据付工程後に６台のジャッキ装置４０を追加して３２台のジャッキ装置４０をボイラ建屋１２の上部に配置する構成としているが、使用するジャッキ装置４０の多寡は、発明を実施する上での限定的な要素では無い。
【００３４】
ボイラ本体３０の吊り上げは、上部側のユニットから複合的に行われる。例えば図３に示す例ではステップ５にて、副側モジュール（上部ユニット３２）の吊り上げを行うと共に、再熱器バンクモジュール（例えば中間部ユニット３４）を吊り上げるためのジャッキ装置４０の準備を行う。
【００３５】
次に、再熱器バンクモジュールの吊り上げを行う。再熱器の吊り上げ作業と並行して、副側モジュールを吊り上げたジャッキ装置４０とフロアユニット１４ａを吊り上げたジャッキ装置４０とを移動させ、ウインドボックスの吊り上げ作業を行う（ステップ６）。
【００３６】
そして、ウインドボックスの吊り上げを終了させ、再熱器の吊り上げ作業と並行してジャッキ装置４０の移動を行い、過熱器バンクモジュール（例えば下部ユニット３６）の吊り上げを行い、ボイラ本体３０を上昇させて大梁２２や藤棚鉄骨２４に吊下げる（ステップ７：ボイラ据付工程）。
【００３７】
このような工法で建設されるボイラ施設１０によれば、図５に示すように、従来に比べて工期を大幅に短縮することができる。従来は、主柱の据付とフロアユニットの据付を、各節（階層）毎に順次繰り返し行うことで主柱、並びにサイドスパン鉄骨を構成し、その後に大梁の吊上げ、および据付を行っていた。これに対し本実施形態に係るボイラ施設建設工法では、主柱１４の据付（フロアユニット１４ａを含まないサイドスパン鉄骨２０の据付）を先行して行うようにしている。そして、各節におけるフロアユニット１４ａの据付は、大梁２２の吊上げやボイラ本体３０の吊上げと並行して行うようにしているため、工期全体の短縮を図ることが可能となった。具体的には、従来工程では、主柱内にフロアユニットを備えたモジュール工法を採用した場合でも、フロアユニットの据付に要する工期は、工期全体の約１／４の日数を要していた。これに対して本実施形態に係る工法によれば、フロアユニットの据付に要する工期自体は従来よりも長くなるが、この工期を他の工期、すなわちボイラ本体３０の吊り上げと並行して行うことで、工期全体を従来に比べ、約３／４の日数に短縮させることができるのである。
【００３８】
また、工期の短縮により、工費の抑制、操業時期の繰上げといった効果を奏することができる。なお、ボイラ本体の吊り上げ手順や、吊り上げに用いるジャッキ装置４０の数等は、施工内容により適宜変更することができる。
【００３９】
また、本実施形態に係るボイラ施設建設工法では、主柱１４やガーター梁１８、缶前鉄骨１６、および缶後鉄骨１５等の鉄骨類を外部クレーン（不図示）を介して組付けた後、外部クレーンを撤去して主柱１４等に備えられたジャッキ装置４０を介してフロアユニット１４ａの据え付けを行うようにしている。このため、外部クレーンを使用する期間を短縮することができ、工費を抑制することができる。
【００４０】
また、本実施形態のようなボイラ施設建設工法によれば、サイドスパン鉄骨２０を構成するフロアユニット１４ａの組付けやボイラ本体３０を構成する各ユニットの組付けを地上付近で行うことができる。このため、作業者による高所作業を減らすことができ、建設作業の安全性を向上させることが可能となる。
【００４１】
また、本実施形態に係るボイラ施設建設工法では、フロアユニット１４ａや大梁２２等の吊上げ等に用いるジャッキ装置４０と、ボイラ本体３０を吊上げるためのジャッキ装置４０とを共通化させることで、工程間におけるジャッキ装置４０の相互利用を図ることが可能となった。このため、使用済みのジャッキ装置４０や、使用を予定されるジャッキ装置４０を逐次昇降させるために要する時間を短縮することができる。
【００４２】
また、本実施形態に係るボイラ施設建設工法で用いるジャッキ装置４０は、図６に示すように、操作盤６０と、ポンプユニット４２、およびジャッキ装置４０とによってジャッキユニットを構成している。ポンプユニット４２はそれぞれ、操作盤６０からの信号を受けて個別に稼動することが可能とされており、信号に従って各ジャッキ装置４０に作動油を供給するように構成されている。
【００４３】
このようなジャッキユニットを用いることで、各ジャッキ装置の吊上げ状態を個別に調整することができ、吊下物の水平を保った状態、あるいは任意の傾きを保った状態で安定して吊上げることが可能となる。
【００４４】
なお、図３に示した各ジャッキ装置４０は、それぞれ個別にポンプユニット４２を備えるように示したが、ポンプユニット４２は、同期して稼動される組単位のジャッキ装置毎に設けるようにしても良い。この場合には、ポンプユニット４２とジャッキ装置４０との間にマニホールド（分配器）と制御弁等を設け、作動油の分岐と制御を行うようにすれば良い。このようにすることで、各ジャッキ装置４０の制御を個別に行うことが可能となるからである。
【００４５】
なお、上記実施形態においては、必要に応じてジャッキ装置４０を追加する旨記載したが、ボイラ建屋１２の上部の空きスペースに余裕があれば、工程全体に亙って必要とする数のジャッキ装置４０を、予め吊り上げておくようにすると良い。これにより、建屋建設工程中に、余剰なジャッキ装置を地上に降ろしたり、必要とされるジャッキ装置を吊り上げたりするといった作業が不要となるからである。
【００４６】
また、上記実施形態では、大梁据付工程と、ボイラ据付工程、およびフロアユニット据付工程に用いるジャッキ装置４０のロッド４０ａは、その長さや直径といった寸法（サイズ）を共通とし、各工程において相互に利用することとしている。このような手段を採ることで、複数種類のロッド４０ａをボイラ建屋１２の上部に配置しておく必要が無くなり、未使用ロッドの数を減らすことができる。なお、当然に、ボイラ本体３０等の重量物の吊り上げを行う場合と、フロアユニット１４ａ等の比較的軽い物の吊り上げを行う場合とにおいて、使用するロッドのサイズを異ならせるようにしても良い。長尺、大径のロッドの数を増やすよりも、小径ロッドを用いた方が、工費を削減することができる場合もあるからである。このような場合には、ジャッキ装置にスペーサを噛ます等の手段を採れば、共通のジャッキ装置４０を使用しつつ、ロッドのサイズだけを変更することができる。
【符号の説明】
【００４７】
１０………ボイラ施設、１２………ボイラ建屋、１３………支柱、１４………主柱、１４ａ………フロアユニット、１５………缶後鉄骨、１６………缶前鉄骨、１８………ガーター梁、２０………サイドスパン鉄骨、２２………大梁、２４………藤棚鉄骨、３０………ボイラ本体、３２………上部ユニット、３４………中間部ユニット、３６………下部ユニット、４０………ジャッキ装置、４２………ポンプユニット、５０………仮吊材、６０（６０ａ，６０ｂ）………操作盤。
【図１】
0005743205.tif 000002
【図２】
0005743205.tif 000003
【図３】
0005743205.tif 000004
【図４】
0005743205.tif 000005
【図５】
0005743205.tif 000006
【図６】
0005743205.tif 000007
【図７】
0005743205.tif 000008